(57)【特許請求の範囲】
【請求項１】
患者に割り当てたベッドのベッドサイドに配置される表示端末と、該表示端末にネットワークを介して接続される管理サーバとを備える医療情報表示システムであって、
前記表示端末は、自身を識別する端末ＩＤを記憶しており、起動されると前記管理サーバに前記記憶している端末ＩＤを送信するようになっており、
前記管理サーバは、
前記ベッドを識別するベッドＩＤと、該ベッドＩＤにより特定されるベッドを割り当てられた患者を識別する患者ＩＤと、該患者ＩＤにより特定される患者の患者属性情報と、該特定される患者の医療看護に関する情報をピクトグラムで示した医療看護支援ピクトグラムとを対応付けて記憶している患者情報データベースと、
前記ベッドＩＤと、該ベッドＩＤにより特定されるベッドのベッドサイドに配置される前記表示端末を識別する端末ＩＤとを対応付けて記憶している端末・ベッド対応テーブルと、
前記表示端末から送信された端末ＩＤを受信すると、前記端末・ベッド対応テーブルを用いて前記受信した端末ＩＤに対応付けられたベッドＩＤを特定し、前記患者情報データベースにアクセスして前記特定したベッドＩＤに対応付けられた患者属性情報及び医療看護支援ピクトグラムを抽出し、該抽出した患者属性情報及び医療看護支援ピクトグラムを含む医療看護支援情報を生成し、前記受信した端末ＩＤにより特定される表示端末に対して、前記生成した医療看護支援情報を送信する情報提供部とを有することを特徴とする医療情報表示システム。
【請求項２】
前記医療看護支援情報には、前記特定したベッドIＤが含まれており、
前記表示端末は、前記情報提供部から送信される医療看護支援情報を受信すると、該受信した医療看護支援情報に含まれるベッドＩＤを提示した確認画面を表示し、該確認画面上において、ユーザから、該ベッドＩＤが正しいか否かを示す情報を受け付けるようになっており、前記ベッドＩＤが正しいことを示す情報を受け付けた場合、前記受信した医療看護支援情報を表示するようになっていることを特徴とする請求項１に記載の医療情報表示システム。
【請求項３】
前記表示端末は、前記確認画面上において、ユーザから前記ベッドＩＤが正しい情報では無いことを示す情報を受け付けた場合、前記受信した医療看護支援情報を消去すると共に、前記ベッドIＤの変更を受け付ける変更画面を表示し、ユーザから変更するベッドＩＤの入力を受付け、前記情報提供部に該受け付けたベッドＩＤを含むベッドＩＤ変更要求を送信し、
前記情報提供部は、
前記表示端末から前記ベッドＩＤ変更要求を受信すると、前記端末・ベッド対応テーブルにアクセスし、前記ベッドＩＤ変更要求を送信した表示端末の端末ＩＤに対応付けられているベッドＩＤを、前記ベッドＩＤ変更要求に含まれるベッドＩＤに変更し、
さらに、前記患者情報データベースにアクセスして前記ベッドＩＤ変更要求に含まれるベッドＩＤに対応付けられた患者属性情報及び医療看護支援ピクトグラムを抽出し、該抽出した患者属性情報及び医療看護支援ピクトグラムを含む医療看護支援情報を生成し、前記受信した端末ＩＤにより特定される表示端末に対して、前記生成した医療看護支援情報を再送信し、
前記表示端末は、前記情報提供部から再送信された医療看護支援情報を受信し表示することを特徴とする請求項２に記載の医療情報表示システム。
【請求項４】
前記表示端末は、前記医療看護支援情報の表示中に、ユーザから前記ベッドＩＤの変更要求を受付け可能になっており、該ベッドＩＤの変更要求を受け付けると、前記表示中の医療看護支援情報を消去する共に、前記変更画面を表示して、該ユーザから変更するベッドＩＤの入力を受付け、前記サーバの情報提供部に該受け付けたベッドＩＤを含むベッドＩＤ変更要求を送信し、該送信したベッドＩＤ変更要求に応じて前記サーバから送信された医療看護支援情報を受信し表示することを特徴とする請求項３に記載の医療情報表示システム。
【請求項５】
前記サーバは、前記患者情報データベースに登録されている患者ＩＤに、該患者ＩＤにより特定される患者の詳細な医療情報を対応付けて記憶している医療システムに接続されており、
前記患者情報データベースは、各患者ＩＤにパスワードを関連付けて記憶しており、
前記表示端末は、前記医療看護支援情報の表示している際に、ユーザから前記パスワードの入力を受け付け可能になっており、
前記表示端末は、前記医療看護支援情報を表示している際、前記パスワードの入力を受け付けると、前記サーバの情報提供部に該受け付けたパスワードを送信し、
前記情報提供部は、
前記表示端末が送信したパスワードを受信すると、前記患者情報データベースにアクセスし、前記パスワードを送信してきた表示端末に提供している医療看護支援情報の患者を識別する患者ＩＤに関連付けられたパスワードを抽出し、該抽出したパスワードが前記受信したパスワードと一致するか否かを判定するようになっており、
前記抽出したパスワードと前記受信したパスワードとが一致すると判定した場合、前記医療システムから該患者ＩＤにより特定される患者の詳細な医療情報を取得し、前記パスワードを送信してきた表示端末に前記取得した詳細な医療情報を送信し、
前記抽出したパスワードと前記受信したパスワードとが一致しないと判定した場合、前記パスワードを送信してきた表示端末にエラーメッセージを送信することを特徴とする請求項１〜４に記載の医療情報表示システム。
【発明の詳細な説明】
【技術分野】
【０００１】
本発明は、医療情報表示システムに関する。
【背景技術】
【０００２】
従来から、患者のベッドサイドに配置された表示装置に、その患者の医療情報を表示するシステムが提案されている。例えば、特許文献１には、ベッドサイドに配置された表示装置に、その患者の移動、姿勢、排泄、食事、又は飲み物に課せられた条件又は制限に関するピクトグラム化された医療情報を常時表示する常時表示型医療情報表示システム（以下、「医療情報表示システム」という）が開示されている。
【０００３】
特許文献１に記載された医療情報表示システムは、ベッドサイドに配置される表示装置と、表示装置に接続される表示用端末と、表示用端末とネットワークを介して接続される管理端末と、管理端末と接続される記憶装置とを備えている。また、上記の表示用端末には、ＩＣカードリーダライタ（リーダライタ）が接続されており、このリーダライタを介して、ＩＣカードに登録された「患者を識別するＩＤ番号」を認識するようになっている。また、上記の記憶装置は、「ＩＤ番号毎に、そのＩＤ番号により特定される患者の医療情報を対応付けた情報」と、「医療情報の各項目に、常時表示可否を示す情報を対応付けた対応表」とを記憶している。
【０００４】
そして、上記の医療情報表示システムは、以下の手順により、表示装置に医療情報を常時表示するように構成されている。
【０００５】
具体的には、医療スタッフ或いは患者が、表示用端末に接続されたリーダライタ上に患者のＩＣカードを載せると、表示用端末がリーダライタを介してＩＤ番号を読み取り認識する。表示用端末は、患者のＩＤ番号を読み取り認識すると、そのＩＤ番号を管理端末に送信する。管理端末は、表示用端末からのＩＤ番号を受信すると、記憶装置にアクセスし、受信したＩＤ番号に対応付けられた医療情報を読み出す。また、管理端末は、読み出した医療情報の各項目のうち、対応表において常時表示可能となっている項目の医療情報を選定し、ＩＤ番号を送信してきた表示用端末に、選定した医療情報を送信する。表示用端末は、管理端末から送られた医療情報を受信すると、その受信した医療情報を表示装置に常時表示させる。
【先行技術文献】
【特許文献】
【０００６】
【特許文献１】特許５７５８６１５号公報
【発明の概要】
【発明が解決しようとする課題】
【０００７】
しかしながら、上述従来技術は、以下に示す課題を有している。
具体的には、特許文献１に記載された医療情報表示システムでは、患者の医療情報を常時表示させるために、リーダライタに患者のＩＣカードを載せる患者認証作業が必要になる。尚、このようなシステムの患者認証には、ＩＣカードを用いる方法の他にも、表示端末に接続されたキーボードやタッチパネルにより患者のＩＤ番号を入力する方法や、患者のリストバンドのバーコードを使っての患者のＩＤ番号を入力する方法が採用されている。また、この認証作業は、一般的に、看護師等の医療スタッフ若しくは患者自身により行われる。しかし、医療スタッフや患者が認証作業を忘れてしまうと、患者の医療情報を常時表示させるという目的が達成できない、或いは、前の患者の医療情報が表示されたままになるという問題が生じる。尚、表示装置に、前の患者の医療情報が常時表示されたままになると、患者の取り違え等が起こる虞がある。
【０００８】
また、上述した医療情報表示システムは、リーダライタにＩＣカードを載せるだけで、患者の医療情報が表示される仕組みになっている。このような仕組みのシステムにおいて、患者がＩＣカードを紛失すると、IＣカードを拾った人間により、患者の医療情報が流出する虞がある。
さらに、ＩＣカードを使ったユーザ認証は、多忙な業務を抱える看護師の責任を増加させて、業務負担を増やしてしまうだけでなく、ＩＣカードの発行業務が必要になるため、医事課等の事務側スタッフの業務負担も増大させるという課題も有している。
【０００９】
本発明は、上記課題に鑑みてなされたものであり、その目的は、病院のスタッフ或いは患者に作業負担をかけることなく、患者のベッドサイドに配置される表示端末に、患者の正確な医療情報を表示させることができる医療情報表示システムを提供することにある。
【課題を解決するための手段】
【００１０】
上記課題を解決するためになされた本発明は、患者に割り当てたベッドのベッドサイドに配置される表示端末と、該表示端末にネットワークを介して接続される管理サーバとを備える医療情報表示システムであって、前記表示端末は、自身を識別する端末ＩＤを記憶しており、起動されると前記管理サーバに前記記憶している端末ＩＤを送信するようになっており、前記管理サーバは、前記ベッドを識別するベッドＩＤと、該ベッドＩＤにより特定されるベッドを割り当てられた患者を識別する患者ＩＤと、該患者ＩＤにより特定される患者の患者属性情報と、該特定される患者の医療看護に関する情報をピクトグラムで示した医療看護支援ピクトグラムとを対応付けて記憶している患者情報データベースと、前記ベッドＩＤと、該ベッドＩＤにより特定されるベッドのベッドサイドに配置される前記表示端末を識別する端末ＩＤとを対応付けて記憶している端末・ベッド対応テーブルと、前記表示端末から送信された端末ＩＤを受信すると、前記端末・ベッド対応テーブルを用いて前記受信した端末ＩＤに対応付けられたベッドＩＤを特定し、前記患者情報データベースにアクセスして前記特定したベッドＩＤに対応付けられた患者属性情報及び医療看護支援ピクトグラムを抽出し、該抽出した患者属性情報及び医療看護支援ピクトグラムを含む医療看護支援情報を生成し、前記受信した端末ＩＤにより特定される表示端末に対して、前記生成した医療看護支援情報を送信する情報提供部とを有することを特徴とする。
尚、上記の医療看護支援ピクトグラムとは、患者の移動、処遇、姿勢、排泄、食事、及び飲み物に関する条件又は制限をピクトグラム（絵文字）で示した情報や、患者に対して病院スタッフが共有すべき情報（リハビリ中、尿管管理等の情報）をピクトグラムで示した情報のことをいう。
【００１１】
このように、本発明によれば、サーバの患者情報データベースに、ベッドＩＤと、ベッドＩＤのベッドを割り当てられた患者の患者ＩＤと、患者ＩＤが示す患者の患者属性情報と、その患者の医療看護に関する情報をピクトグラムで示した医療看護支援ピクトグラムとを対応付けて記憶させている。また、サーバの端末・ベッド対応テーブルに、ベッドＩＤと、ベッドＩＤのベッドに配置される表示端末の端末ＩＤとを対応付けて記憶させている。そして、サーバは、表示端末が起動することにより送信する端末ＩＤを受信すると、端末・ベッド対応テーブルを用いて受信した端末ＩＤに対応付けられたベッドＩＤを特定し、患者情報データベースにアクセスして特定したベッドＩＤに対応付けられた患者属性情報及び医療看護支援ピクトグラムを抽出し、その抽出した患者属性情報及び医療看護支援ピクトグラムを含む医療看護支援情報を生成し、表示端末に送信するように構成されている。
上記の構成によれば、医療スタッフ或いは患者がＩＣカードを利用した患者認証作業を行うことなく、表示端末を起動させることにより、表示端末にサーバから、当該表示端末が設置されるベッドを割り当てられた患者の医療看護支援情報が送信される。すなわち、本発明は、上述した従来技術のように、医療スタッフ或いは患者に、患者認証作業の負担をかけることがない。また、本発明によれば、ＩＣカードを利用した患者認証作業のように、医療スタッフがＩＣカードを取り違えて患者認証をしてしまうことが発生しないため、患者情報データベース及び端末・ベッド対応テーブルに正確な情報を登録し管理することで、表示端末に正確な医療看護支援情報を表示することができる。また、本発明は、「医療スタッフや患者が、ＩＣカードを利用した認証作業を忘れることにより発生する問題（患者の医療情報を表示させることができない、或いは、前の患者の医療情報が表示されたままになるという問題）が生じることがない。また、本発明は、患者の医療看護支援情報を表示させるために、患者毎に、患者のＩＤ番号を記憶させたＩＣカードを設けて管理する必要がないため、上述した従来技術と比べて、ＩＣカード紛失による患者の医療情報の流出リスクが軽減されていると共に、ＩＣカードの発行・管理するための業務負担が軽減されている。
【００１２】
また、前記医療看護支援情報には、前記特定したベッドIＤが含まれており、前記表示端末は、前記情報提供部から送信される医療看護支援情報を受信すると、該受信した医療看護支援情報に含まれるベッドＩＤを提示した確認画面を表示し、該確認画面上において、ユーザから、該ベッドＩＤが正しいか否かを示す情報を受け付けるようになっており、前記ベッドＩＤが正しいことを示す情報を受け付けた場合、前記受信した医療看護支援情報を表示するようになっていることが望ましい。
【００１３】
上記の構成によれば、看護師等の医療スタッフは、確認画面上に表示されたベッドＩＤ（ベッド番号）と、実際に表示端末が設置されているベッドのベッドＩＤ（ベッド番号）とを目視により確認し、ベッド番号が間違っていない場合にだけベッドＩＤが正しいことを示す情報を入力することで、当該ベッドを割り当てられた患者に対する医療看護支援情報を表示させることができる（表示端末に正確な医療看護支援情報を表示させることができる）。
【００１４】
また、前記表示端末は、前記確認画面上において、ユーザから前記ベッドＩＤが正しい情報では無いことを示す情報を受け付けた場合、前記受信した医療看護支援情報を消去すると共に、前記ベッドIＤの変更を受け付ける変更画面を表示し、ユーザから変更するベッドＩＤの入力を受付け、前記情報提供部に該受け付けたベッドＩＤを含むベッドＩＤ変更要求を送信し、
前記情報提供部は、前記表示端末から前記ベッドＩＤ変更要求を受信すると、前記端末・ベッド対応テーブルにアクセスし、前記ベッドＩＤ変更要求を送信した表示端末の端末ＩＤに対応付けられているベッドＩＤを、前記ベッドＩＤ変更要求に含まれるベッドＩＤに変更し、さらに、前記患者情報データベースにアクセスして前記ベッドＩＤ変更要求に含まれるベッドＩＤに対応付けられた患者属性情報及び医療看護支援ピクトグラムを抽出し、該抽出した患者属性情報及び医療看護支援ピクトグラムを含む医療看護支援情報を生成し、前記受信した端末ＩＤにより特定される表示端末に対して、前記生成した医療看護支援情報を再送信し、
前記表示端末は、前記情報提供部から再送信された医療看護支援情報を受信し表示することが望ましい。
【００１５】
上記構成によれば、確認画面上に表示されたベッドＩＤ（ベッド番号）と、実際に表示端末が設置されているベッドサイドにあるベッドのベッド番号（ベッドＩＤ）とを目視により確認し、ベッド番号が間違っている場合（サーバの端末・ベッド対応テーブルにおけるベッド番号と端末ＩＤとの対応付け（紐付け）が間違っていた場合）、サーバの端末・ベッド対応テーブルを修正させると共に、表示端末に、患者情報データベースに登録された正確な医療看護支援情報を表示させることができる。
【００１６】
また、前記表示端末は、前記医療看護支援情報の表示中に、ユーザから前記ベッドＩＤの変更要求を受付け可能になっており、該ベッドＩＤの変更要求を受け付けると、前記表示中の医療看護支援情報を消去する共に、前記変更画面を表示して、該ユーザから変更するベッドＩＤの入力を受付け、前記サーバの情報提供部に該受け付けたベッドＩＤを含むベッドＩＤ変更要求を送信し、該送信したベッドＩＤ変更要求に応じて前記サーバから送信された医療看護支援情報を受信し表示することが望ましい。
【００１７】
上記の構成によれば、表示端末に表示している医療看護支援情報が間違って表示されている場合に、表示端末から正確なベッドＩＤを入力することにより、サーバの端末・ベッド対応テーブルを修正すると共に、表示端末に、患者情報データベースに登録された正確な医療看護支援情報を表示させることができる。
【００１８】
また、前記サーバは、前記患者情報データベースに登録されている患者ＩＤに、該患者ＩＤにより特定される患者の詳細な医療情報を対応付けて記憶している医療システムに接続されており、前記患者情報データベースは、各患者ＩＤにパスワードを関連付けて記憶しており、前記表示端末は、前記医療看護支援情報を表示している際に、ユーザから前記パスワードの入力を受け付け可能になっており、前記表示端末は、前記医療看護支援情報の表示している際、前記パスワードの入力を受け付けると、前記サーバの情報提供部に該受け付けたパスワードを送信し、
前記情報提供部は、前記表示端末が送信したパスワードを受信すると、前記患者情報データベースにアクセスし、前記パスワードを送信してきた表示端末に提供している医療看護支援情報の患者を識別する患者ＩＤに関連付けられたパスワードを抽出し、該抽出したパスワードが前記受信したパスワードと一致するか否かを判定するようになっており、前記抽出したパスワードと前記受信したパスワードとが一致すると判定した場合、前記医療システムから該患者ＩＤにより特定される患者の詳細な医療情報を取得し、前記パスワードを送信してきた表示端末に前記取得した詳細な医療情報を送信し、前記抽出したパスワードと前記受信したパスワードとが一致しないと判定した場合、前記パスワードを送信してきた表示端末にエラーメッセージを送信することが望ましい。尚、上記の詳細な医療情報とは、医療システムを構成する電子カルテサーバに格納されている、患者に対する「検査」、「投薬」、「手術」等のスケジュールやその内容を示す情報のことをいう。例えば、詳細な医療情報には、「患者の検査結果等の詳細情報」、「通称PACS(Picture Archiving and Communication System（医療用画像データシステム)）データと呼ばれる、CT、MRI、レントゲンフィルムなどの画像情報」、「患者の詳細な食事制限情報（検査、投薬および手術前の食事制限情報、アレルギーによる食事制限情報、病状（糖尿病など）による食事制限情報）」等がある。
【００１９】
上記の構成によれば、医療看護支援情報を表示中の表示端末に正確なパスワードを入力しなければ、表示端末に患者の詳細な医療情報を表示させることができない。すなわち、本発明の構成によれば、たとえ、パスワードが漏洩したとしても、対応する患者の医療看護支援情報を表示中の表示端末を特定できない限り、患者の詳細な医療情報を表示させることができないため、患者の詳細な医療情報が流出するリスクが軽減される。
例えば、上述した従来技術では、システムに接続されたどの装置（リーダライタ）であっても、ＩＣカードを搭載させると患者の医療情報が表示される。しかし、上記の構成では、不正にパスワードを取得した者は、対応する患者の医療看護支援情報を表示中の表示端末を特定しない限り、患者の詳細な医療情報を表示させることができなくなる。
【発明の効果】
【００２０】
本発明によれば、病院のスタッフ或いは患者に作業負担をかけることなく、患者のベッドサイドに配置される表示端末に、患者の正確な医療情報を表示させることができる医療情報表示システムを提供することができる。
【図面の簡単な説明】
【００２１】
【図１】本実施形態の医療情報表示システムのシステム構成を示した模式図である。
【図２】本実施形態の医療情報表示システムのサーバに設けた患者情報データベースの一例を示した模式図である。
【図３】本実施形態の医療情報表示システムのサーバに設けた端末・ベッド対応テーブルの一例を示した模式図である。
【図４】本実施形態の医療情報表示システムの表示端末が行う医療看護支援情報表示処理の手順を示したフローチャートである。
【図５】本実施形態の医療情報表示システムのサーバが行う医療看護支援情報表示処理の手順を示したフローチャートである。
【図６】本実施形態の医療情報表示システムの表示端末が行うベッドＩＤ変更処理の手順を示したフローチャートである。
【図７】本実施形態の医療情報表示システムのサーバが行うベッドＩＤ変更処理の手順を示したフローチャートである。
【図８】本実施形態の医療情報表示システムの表示端末が行う医療看護支援情報の削除処理の手順を示したフローチャートである。
【図９】本実施形態の医療情報表示システムのサーバが行う医療看護支援情報の削除処理の手順を示したフローチャートである。
【図１０】本実施形態の医療情報表示システムの表示端末に表示するベッド番号確認画面の一例を示した模式図である。
【図１１】本実施形態の医療情報表示システムの表示端末に表示するベッド番号変更画面の一例を示した模式図である。
【図１２】本実施形態の医療情報表示システムの表示端末に表示する医療看護支援情報画面の一例を示した模式図である。
【図１３】本実施形態の医療情報表示システムの表示端末に表示する医療看護支援情報画面の一例を示した模式図である。
【発明を実施するための最良の形態】
【００２２】
以下、本発明の実施形態について図面を用いて説明する。先ず、本実施形態の医療情報表示システムの構成について図１〜図３を用いて説明する。
【００２３】
図１に示すように、本実施形態の医療情報表示システムは、病院に入院している患者の医療看護支援に関する情報が登録されている管理サーバ（以下、単に「サーバ」という）１と、サーバ１に各種情報を登録したり設定したりする操作端末２と、患者に割り当てたベッドのベッドサイドに配置される表示端末４と、患者のカルテ情報等の詳細な医療情報を記憶している医療システム６とを備えている。また、サーバ１、操作端末２、表示端末４及び医療システム６は、いずれも、ネットワークＮＷに接続されている。
【００２４】
操作端末２は、サーバ１とネットワークＮＷを介して接続可能になっており、サーバ１との間で各種情報の授受を行う。また、表示端末４は、サーバ１とネットワークＮＷを介して接続可能になっており、サーバ１との間で各種情報の授受を行うと共に、サーバ１から提供される患者の医療看護支援情報（図１２、１３参照）等を表示する。また、サーバ１は、ネットワークＮＷを介して医療システム６にアクセス可能に構成され、医療システム６から患者の詳細な医療情報（カルテ情報等）を取得できるようになっている。
【００２５】
尚、本実施形態では、ネットワークＮＷが病院に設置されたＬＡＮ（Local Area Network）である場合を例にする。また、図示する例では、表示端末４は、ネットワークＮＷに無線接続されているが（無線ＬＡＮアクセスポイントＡＰを介して接続されているが）、これは一例に過ぎない。表示端末４がネットワークＮＷに有線接続されていてもよい。また、ネットワークＮＷに接続可能な表示端末４は、入院している患者に割り当てられたベッド数と同じ数だけ設置される。例えば、入院している患者が１００人の場合、１００台の表示端末４がネットワークＮＷに接続可能な状態で設置される。
【００２６】
また、サーバ１には、「ベッドを識別するベッドＩＤと、ベッドＩＤのベッドを割り当てられた患者の患者ＩＤと、患者ＩＤが示す患者の患者属性情報（氏名等の情報）と、その患者の医療看護に関する情報をピクトグラムで示した医療看護支援ピクトグラムとを対応付けて記憶させた患者情報データベース１３」と、「ベッドＩＤと、ベッドＩＤのベッドに配置される表示端末の端末ＩＤ（ＭＡＣアドレス）とを対応付けて記憶している端末・ベッド対応テーブル１４とが設けられている。
【００２７】
そして、サーバ１は、表示端末４が起動することによりサーバ１に送信する端末ＩＤを受信すると、端末・ベッド対応テーブル１４を用いて受信した端末ＩＤに対応付けられたベッドＩＤを特定し、患者情報データベース１３にアクセスして特定したベッドＩＤに対応付けられた患者属性情報及び医療看護支援ピクトグラムを抽出し、その抽出した患者属性情報及び医療看護支援ピクトグラムを含む医療看護支援情報を生成し、端末ＩＤを送信してきた表示端末４に送信する。
【００２８】
表示端末４は、サーバ１から送信される医療看護支援情報を受信すると、後述する所定操作を受け付けることにより、受信した医療看護支援情報を表示するようになっている。これにより、表示端末４には、その表示端末４が設置されるベッドを利用する患者の医療看護支援情報（図１２、１３参照）が表示される。以下、本実施形態の医療情報表示システムの構成を詳細に説明する。
【００２９】
サーバ１は、制御部１０と、情報提供部１１と、詳細医療情報取得部１２と、患者情報データベース１３と、端末・ベッド対応テーブル１４とを有している。
【００３０】
ここで、サーバ１の構成のうち各データ（患者情報データベース１３、端末・ベッド対応テーブル１４）の構成について説明する。
【００３１】
先ず、患者情報データベース１３について説明する。
図２に示すように、患者情報データベース１３は、ベッドを識別するベッドＩＤを登録するためのフィールド１３ａと、ベッドＩＤにより特定されるベッドを割り当てられた患者を識別する患者ＩＤを登録するためのフィールド１３ｂと、患者ＩＤにより特定される患者の患者属性情報を登録するためのフィールド１３ｃと、患者ＩＤにより特定される患者の医療看護に関する情報をピクトグラム（絵文字）で示した医療看護支援ピクトグラムを登録するためのフィールド１３ｄと、患者ＩＤにより特定される患者に対する注意事項を登録するためのフィールド１３ｅと、患者ＩＤにより特定される患者の担当者を登録するためのフィールド１３ｆと、患者ＩＤにより特定される患者の入退院日を登録するためのフィールド１３ｇと、転倒リスクアセスメントを登録するためのフィールド１３ｈと、患者認証用パスワードを登録するためのフィールド１３ｉとを有するレコードにより構成されている（複数のレコードにより構成されている）。
【００３２】
ベッドＩＤは、英数字・記号などで構成される一意のデータであり、ベッド毎に割り当てられている。患者ＩＤは、英数字・記号などで構成される一意のデータであり、患者毎に割り当てられている。患者属性情報は、患者の氏名、性別、年齢等の情報である（図示する例では、氏名のみを示している）。
【００３３】
医療看護支援ピクトグラムとは、患者の移動、処遇、姿勢、排泄、食事、及び飲み物に関する条件又は制限をピクトグラム（絵文字）で示した情報や、患者に対して病院スタッフが共有すべき情報をピクトグラムで示した情報のことをいう。
【００３４】
例えば、患者の移動に関する条件又は制限をピクトグラムで示した情報には、歩行移動を示したピクトグラム（図１２の領域１００ｃ参照）や、車いす移動を示したピクトグラムがある。また、患者の姿勢に関する条件又は制限をピクトグラムで示した情報には、ベッドアップ制限（ベッドの傾き角度の制限）の角度（３０度等の角度）を示したピクトグラム等がある。また、排泄に関する条件又は制限をピクトグラムで示した情報には、ベッド排泄を示したピクトグラムや、ポータブルトイレを示したピクトグラムがある。また、処遇に関する条件又は制限をピクトグラムで示した情報には、外泊可能を示したピクトグラム（図１２の領域１００ｃ参照）等がある。また、食事に関する条件又は制限をピクトグラムで示した情報には、昼食禁止を示したピクトグラム（図１２の領域１００ｃ参照）等がある。また、飲み物に関する条件又は制限をピクトグラムで示した情報には、飲み物制限を示したピクトグラム等がある。
また、患者に対して病院スタッフが共有すべき情報をピクトグラムで示した情報には、リハビリ中を示したピクトグラム（図１２の領域１００ｃ参照）や、右上肢処置禁止を示したピクトグラム、尿管理を示したピクトグラム等がある。
【００３５】
また、上記の注意事項とは、「左上腕で血圧測定」、「発声禁止」、「鼻かみ禁止」等の患者の看護する際の注意事項のことをいう。また、患者の担当者とは、患者を担当する医師の氏名と、看護師の氏名のことをいう。
【００３６】
また、転倒リスクアセスメントとは、患者が転倒するリスク（危険度）を段階別に示した情報のことをいう。本実施形態では、「ＣａｕｔｉоｎI」、「ＣａｕｔｉоｎII」、「ＣａｕｔｉоｎIII」の三段階で危険度を示している（数値が高いほど番危険度が高いことを示す）。尚、危険度が一番低い「ＣａｕｔｉоｎI」を青色表示し、危険度が中間の「ＣａｕｔｉоｎII」を黄色表示し、危険度が一番高い「ＣａｕｔｉоｎIII」を赤色表示するようにして、スタッフが一目で判るような表示にするとよい。
【００３７】
また、患者認証用パスワードは、英数字・記号などで構成されるデータであり、患者毎に設定されている。尚、患者認証用パスワードは、医療システム６から詳細な医療情報を取得する処理において用いられる（詳細は後段で説明する）。
【００３８】
次に、端末・ベッド対応テーブル１４について説明する。
また、端末・ベッド対応テーブル１４は、ベッドＩＤに、そのベッドＩＤにより特定されるベッドのベッドサイドに配置される表示端末４を識別する端末ＩＤを対応付けて記憶するデータベースである。具体的には、端末・ベッド対応テーブル１４は、ベッドＩDを登録するためのフィールド１４ａと、端末ＩＤを登録するためのフィールド１４ｂとを有するレコードにより構成されている（複数のレコードにより構成されている）。
尚、端末ＩＤとは表示端末４毎に割り当てられた一意のデータであり、本実施形態では、端末ＩＤにＭＡＣアドレスを用いている。
【００３９】
図１に戻り、サーバ１の機能処理部を説明する。
【００４０】
制御部１０は、サーバ１全体の動作を制御すると共に、サーバ１に対する各種設定を受け付ける。
【００４１】
情報提供部１１は、表示端末４から送信された端末ＩＤを受信すると、端末・ベッド対応テーブル１４を用いて受信した端末ＩＤに対応付けられたベッドＩＤを特定し、患者情報データベース１３にアクセスして特定したベッドＩＤに対応付けられた「患者属性情報、医療看護支援ピクトグラム、注意事項、担当者、入退院日、転倒リスクアセスメント」を抽出する。また、情報提供部１１は、抽出した「患者属性情報、医療看護支援ピクトグラム、注意事項、担当者、入退院日、転倒リスクアセスメント」及び特定した「ベッドＩＤ」が含まれる医療看護支援情報を生成し、受信した端末ＩＤにより特定される表示端末４に対して、生成した医療看護支援情報を送信する。また、情報提供部１１は、表示端末４からベッド番号の変更を受け付ける処理や、詳細医療情報の送信要求を受け付ける処理も行う。尚、情報提供部１１により行われる処理は後段で詳細に説明する。
【００４２】
詳細医療情報取得部１２は、情報提供部１１から詳細な医療情報の取得要求を受け付けると、医療システム６にアクセスして、医療システム６から対応する患者の詳細な医療情報を取得し、情報提供部１１に取得した詳細な医療情報を送信する。
【００４３】
また、サーバ１のハードウェア構成は特に限定されるものではない。例えば、サーバ１は、ＣＰＵ、補助記憶装置、主記憶装置、ネットワークインターフェース及び入出力インターフェースを備えるコンピュータ（１台或いは複数台のコンピュータ）により構成される。この場合、前記補助記憶装置には、制御部１０、情報提供部１１及び詳細医療情報取得部１２の機能を実現するためのプログラムが格納されている。また、前記補助記憶装置には、患者情報データベース１３及び端末・ベッド対応テーブル１４が記憶されている。そして、制御部１０、情報提供部１１及び詳細医療情報取得部１２の機能は、前記ＣＰＵが前記補助記憶装置に格納された前記プログラムを前記主記憶装置にロードして実行することにより実現される。
【００４４】
次に、操作端末２について説明する。
操作端末２は、ＣＰＵ、補助記憶装置、主記憶装置、ネットワークインターフェース及び入出力インターフェースを備えるコンピュータ（ＰＣ）で構成されており、ナースステーションや病院の情報管理室等に設置されている。操作端末２には、液晶ディスプレイ等の表示装置（図示せず）と、キーボードやマウス等で構成される入力装置（図示せず）とが接続されている。また、操作端末２には、サーバ１の患者情報データベース１３に各種情報を登録したり変更したりするとともに、端末・ベッド対応テーブル１４に情報を登録したり変更する情報登録部（図示せず）が設けられている。
【００４５】
操作端末２の情報登録部は、表示装置（図示せず）に、患者情報データベース１３に情報を登録するための入力画面を表示し、入力装置を介して、患者情報データベース１３に登録する情報の入力を受け付ける。操作端末２の情報登録部は、上記情報の入力を受け付けると、受け付けた情報を用いて、患者情報データベース１３に登録するレコード（フィールド１３ａ〜１３ｉに対応する情報を登録したレコード）を作成し、サーバ１の患者情報データベース１３に作成したレコードを記憶させる。
また、操作端末２の情報登録部は、ユーザからの要求に応じて、表示装置（図示せず）に、患者情報データベース１３に登録された情報を変更するための変更画面を表示し、入力装置を介して、患者情報データベース１３に登録された情報の変更要求を受け付ける。操作端末２の情報登録部は、上記情報の変更要求を受け付けると、患者情報データベース１３にアクセスし、患者情報データベース１３に登録されている情報を、受け付けた変更要求に対応する情報に変更し記憶させる更新処理を行う。
【００４６】
また、操作端末２の情報登録部は、表示装置（図示せず）に、端末・ベッド対応テーブル１４に情報を登録するための入力画面を表示し、入力装置を介して、端末・ベッド対応テーブル１４に登録する情報の入力を受け付ける。操作端末２の情報登録部は、上記情報の入力を受け付けると、受け付けた情報を用いて、端末・ベッド対応テーブル１４に登録するレコード（フィールド１４ａ、１４ｂに対応する情報を登録したレコード）を作成し、作成したレコードを端末・ベッド対応テーブル１４に記憶させる。
また、操作端末２の情報登録部は、ユーザからの要求に応じて、表示装置（図示せず）に、端末・ベッド対応テーブル１４に登録された情報を変更登録するための変更画面を表示して、入力装置を介して、端末・ベッド対応テーブル１４に登録された情報の変更要求を受け付ける。操作端末２の情報登録部は、上記情報の変更要求を受け付けると、端末・ベッド対応テーブル１４にアクセスし、端末・ベッド対応テーブル１４に登録されている情報を、受け付けた変更要求に対応する情報に変更し記憶させる更新処理を行う。
【００４７】
尚、操作端末２の情報登録部の機能は、操作端末２の補助記憶装置に記憶されているプログラム（情報登録部の機能を実現するためのプログラム）を、操作端末のＣＰＵが主記憶装置にロードして実行することにより実現される。
【００４８】
次に、表示端末４について説明する。
表示端末４は、タッチパネル対応型ディスプレイで形成される表示部４０と、表示端末４全体の動作を制御する制御部４１と、表示部４０に設けられたタッチパネルやハードスイッチ（電源ボタンや操作ボタン）を介してユーザからの情報入力を受け付ける入力部４２と、サーバ１から「医療看護支援情報」や「詳細医療情報」を取得し表示部４０に表示させる患者情報取得部４３と、詳細医療情報を取得する際に用いるパスワードを取得するＰＷ取得部４４とを備えている。また、表示端末４には、ＩＣカードに格納されている「パスワード」を読み取るための読取装置５が接続されている。
【００４９】
また、表示端末４には、表示端末４を操作するユーザ（看護師等のスタッフ）を認証するためのスタッフ認証情報と、自身を識別する端末ＩＤとが記憶されている。スタッフ認証情報は、スタッフの氏名毎に、それぞれのスタッフが設定したパスワードを対応付けた情報であり、スタッフ認証が成功しない限り、患者の医療看護支援情報が表示できない仕組みになっている。
【００５０】
患者情報取得部４３は、入力部４２が操作されて表示端末４が起動されると、管理サーバ１に記憶している端末ＩＤを送信し、その送信した端末ＩＤに応じてサーバ１から送信される医療看護支援情報を受信する。また、患者情報取得部４３は、医療看護支援情報を受信すると、表示部４０にスタッフ名リストを提示し、入力部４２を介して、当該リストからスタッフ名の選定を受け付けると共に、ユーザ（看護師等の医療スタッフ）からパスワードの入力を受け付ける。患者情報取得部４３は、選定を受け付けたスタッフ名及び入力を受け付けたパスワードと、記憶しているスタッフ認証情報とを照合するスタッフ認証を行い、スタッフ認証が成功すれば（選定を受け付けたスタッフ名及び入力を受け付けたパスワードと、記憶しているスタッフ認証情報が一致すれば）、表示部４０にベッドＩＤの確認画面を表示し、ユーザにベッドＩＤ（ベッド番号）の確認を促す。
【００５１】
患者情報取得部４３は、確認画面上で、ユーザからベッドＩＤが正しい旨の入力を受け付けた場合、表示部４０に受信した医療看護支援情報を表示する。
一方、患者情報取得部４３は、確認画面上で、ユーザからベッドＩＤが間違っている旨の入力を受け付けた場合、上記の受信した医療看護支援情報を消去すると共に、ベッドＩＤの変更を受け付ける変更画面を表示し、ユーザから変更するベッドＩＤの入力を受付け、サーバ１の情報提供部１１に受け付けたベッドＩＤを含むベッドＩＤ変更要求を送信する。また、患者情報取得部４３は、送信したベッドＩＤ変更要求に応じてサーバ１から送信された医療看護支援情報を受信して表示する。
【００５２】
また、患者情報取得部４３は、表示部４０に医療看護支援情報が表示されている状態において、ユーザから詳細な医療情報の取得要求を受け付けることができるように構成されている。患者情報取得部４３は、詳細な医療情報の取得要求を受け付けると、ＰＷ取得部４４に、ＩＣカードに記憶されているパスワードを取得させ、その取得したパスワードをサーバ１に送信する。尚、サーバ１は、表示端末４から送信されたパスワードが、患者情報データベース１３に登録されたパスワードと一致するか否かの認証を行い、認証されれば、医療システム６から対応する患者の詳細な医療情報を取得し、パスワードを送信してきた表示端末４に送信する。その後、患者情報取得部４３は、サーバ１から送信された「詳細な医療情報」を受信して表示する。
【００５３】
ＰＷ取得部４４は、読取装置５を介して、パスワードが記憶されているＩＣカードからパスワードを取得し、患者情報取得部４３に、取得したパスワードを送信する。
【００５４】
尚、表示端末４のハードウェア構成は特に限定されるものではない。例えば、表示端末４は、タッチパネル対応型液晶ディスプレイ、ＣＰＵ、補助記憶装置、主記憶装置、ネットワークインターフェース及び入出力インターフェースを備えるタブレット端末（タブレットコンピュータ）により構成される。この場合、前記補助記憶装置には、制御部４１、入力部４２、患者情報取得部４３、ＰＷ取得部４４の機能を実現するためのプログラムが格納されている。そして、制御部４１、入力部４２、患者情報取得部４３、ＰＷ取得部４４の機能は、前記ＣＰＵが前記補助記憶装置に格納された前記プログラムを前記主記憶装置にロードして実行することにより実現される。尚、前記補助記憶装置の所定領域にはスタッフ認証情報及び端末ＩＤが記憶されている。
【００５５】
読取装置５は、パスワードが記憶されているＩＣカードを、読取装置５の所定位置に近接させる（かざす）ことで、ＩＣカードからパスワードを読み取る装置である。
尚、読取装置５は、周知技術のリーダライタ等により実現されるものであるため、詳細な説明を省略する。
【００５６】
医療システム６は、病院において、患者のカルテ情報等の詳細な医療情報、医師や看護師の所属部署情報、手術のスケジュール管理情報等を管理するシステムであり、患者ＩＤに対応付けて「患者のカルテ情報等の詳細な医療情報」を記憶している。また、医療システム６は、サーバ１からの要求に応じて、サーバ１に「患者の詳細な医療情報」を送信できるように構成されている。
尚、本実施形態では、医療システム６は、サーバ１が「患者の詳細な医療情報」を取得するためだけに用いられるものであるため、詳細な説明は省略する。
【００５７】
《医療看護支援情報表示処理》
次に、本実施形態の医療情報表示システムが行う医療看護支援情報表示処理について説明する。
【００５８】
先ず、表示端末４を起動させて、表示端末４に医療看護支援情報を表示させる処理について、図４、５、１０〜１２を参照しながら説明する。
尚、医療情報表示システムが表示端末４に医療看護支援情報を表示する処理を行う前提として、サーバ１の患者情報データベース１３に、正確な情報が登録されているものとする。また、サーバ１の端末・ベッド対応テーブル１４にも、表示端末４の端末ＩＤと、ベッドＩＤとを関連付けた情報が登録されているものとする。
【００５９】
ここで、図４は、本実施形態の医療情報表示システムの表示端末が行う医療看護支援情報表示処理の手順を示したフローチャートである。図５は、本実施形態の医療情報表示システムのサーバが行う医療看護支援情報表示処理の手順を示したフローチャートである。また、図１０は、本実施形態の医療情報表示システムの表示端末に表示するベッド番号確認画面の一例を示した模式図である。図１１は、本実施形態の医療情報表示システムの表示端末に表示するベッド番号変更画面の一例を示した模式図である。図１２は、本実施形態の医療情報表示システムの表示端末に表示する医療看護支援情報画面の一例を示した模式図である。
【００６０】
図４に示すように、看護師等の医療スタッフ（ユーザ）が表示端末４の電源ボタンを操作して表示端末４を起動させると（Ｓ１）、表示端末４の患者情報取得部４３は、サーバ１に、補助記憶装置に記憶されている端末ＩＤを送信する（Ｓ２）。
【００６１】
ここで、表示端末４から端末ＩＤを送信されたサーバ１側の処理を図５に示す。
【００６２】
具体的には、サーバ１の情報提供部１１は、表示端末４から送信された端末ＩＤを受信すると（Ｓ１０１）、端末・ベッド対応テーブル１４を用いて受信した端末ＩＤに対応付けられたベッドＩＤを特定する。また、情報提供部１１は、患者情報データベース１３にアクセスし、特定したベッドＩＤに対応付けられた「患者属性情報（患者氏名）、医療看護支援ピクトグラム、注意事項、担当者、入退院日、転倒リスクアセスメント」を抽出する（Ｓ１０２）。
【００６３】
次に、サーバ１の情報提供部１１は、Ｓ１０２で抽出した「患者属性情報、医療看護支援ピクトグラム、注意事項、担当者、入退院日、転倒リスクアセスメント」と、特定した「ベッドＩＤ」とが含まれる医療看護支援情報（図１２参照）を生成し、Ｓ１０１で受信した端末ＩＤにより特定される表示端末４に対して、生成した医療看護支援情報を送信し（Ｓ１０３）、図４に示す表示端末４のＳ３の処理に移行する。
【００６４】
図４のＳ３では、表示端末４の患者情報取得部４３が、サーバ１の情報提供部１１から送信された医療看護支援情報を受信する。
【００６５】
次に、患者情報取得部４３は、表示部４０にスタッフ名リストを表示して、ユーザからスタッフ名の選択を受け付ける（Ｓ４）。また、患者情報取得部４３は、スタッフ名の選択を受け付けると、表示部４０にスタッフ認証用パスワードの入力画面を表示し（Ｓ５）、ユーザが入力部４２を介して入力するパスワードの入力を受け付ける（Ｓ６）。
【００６６】
患者情報取得部４３は、スタッフ名の選択及びパスワードの入力を受け付けると、表示端末４の補助記憶装置に記憶しているスタッフ認証情報を用いて、受け付けた「スタッフ名及びパスワード」が正しいか否かを判定し、受け付けた「スタッフ名及びパスワード」が正しいと判定（スタッフ認証成功と判定）したときにはＳ８に進み、受け付けた「スタッフ名及びパスワード」が誤っていると判定（スタッフ認証失敗と判定）したときにはＳ９に進む（Ｓ７）。尚、患者情報取得部４３は、受け付けた「スタッフ名及びパスワード」の組み合わせが、記憶しているスタッフ認証情報のなかにあれば、受け付けた「スタッフ名及びパスワード」が正しいと判定し、受け付けた「スタッフ名及びパスワード」の組み合わせが、記憶しているスタッフ認証情報のなかに存在しなければ、受け付けた「スタッフ名及びパスワード」が誤っていると判定する。
【００６７】
Ｓ９では、患者情報取得部４３は、表示部４０にエラーメッセージを表示して、Ｓ４の処理に戻る。尚、スタッフ認証が所定回数以上失敗したときには、Ｓ３で受信した医療看護支援情報を消去して、再起動を促すメッセージを表示するようにしてもよい。
【００６８】
次に、Ｓ７でスタッフ認証が成功した場合に進むＳ８以降の処理を説明する。
Ｓ８では、患者情報取得部４３は、Ｓ３で受信した医療看護支援情報からベッドＩＤを抽出し、抽出したベッドＩＤが提示された確認画面８０（図１０参照）を生成し、表示部４０に生成した確認画面８０を表示させる。
【００６９】
図１０に例示する確認画面８０には、Ｓ３で受信した医療看護支援情報に含まれているベッドＩＤが提示されていると共に、提示したベッドＩＤが正しいか否かを受け付ける選択ボタン８０ａ、８０ｂが設けられている。看護師等の医療スタッフ（ユーザ）は、表示端末４の入力部４２を操作して、ボタン８０ａ、８０ｂのいずれかを選択することにより、表示端末４に、確認画面８０上のベッドＩＤが正しいか否かを入力する。
【００７０】
Ｓ１０では、患者情報取得部４３は、確認画面８０上で、ベッドＩＤが正しいか否かを示す情報を受け付けると共に、ベッドＩＤが正しい旨を示す情報を受け付けた場合にはＳ１１に進み、ベッドＩＤが誤っている旨を示す情報を受け付けた場合にはＳ１２に進む。
【００７１】
Ｓ１１では、患者情報取得部４３は、表示部４０に、Ｓ３で受信した医療看護支援情報を表示する。この医療看護支援情報は、看護師等のスタッフからの表示終了要求の操作がなされない限り、常時表示されるようになっている。
【００７２】
ここで、上記の医療看護支援情報を表示した画面例を図１２に示す。
例示する医療看護支援情報の表示画面１００は、「患者属性情報（氏名）、担当者の氏名、ベッドＩＤ（ベッド番号）」を提示する領域１００ａと、「注意事項（鼻かみ禁止等）」を提示する領域１００ｂと、「医療看護支援ピクトグラム」を提示する領域１００ｃと、「転倒リスクアセスメント」を提示する領域１００ｄと、「現在日時」を提示する領域１００ｅとが設けられている。尚、「現在日時」は、表示端末４に設けられている時計機能から取得しているものとする。
【００７３】
このように、本実施形態では、患者のベッドサイドに設置される表示端末４に、患者の移動、処遇、姿勢、排泄、食事、及び飲み物に関する条件又は制限をピクトグラムで示した情報や、患者に対して病院スタッフが共有すべき情報をピクトグラムで示した情報等が表示されるため、看護師等のスタッフや見舞いに来た人等が、患者にどのように対応すべきかを簡単に把握することができ、患者に対して適切な対応ができるようになる。
【００７４】
次に、Ｓ１０において、確認画面８０上のベッドＩＤが誤っている旨を示す情報を受け付けた場合に進むＳ１２以降の処理を説明する。
【００７５】
患者情報取得部４３は、Ｓ３で受信した医療看護支援情報を消去し（Ｓ１２）、ベッドＩＤの変更入力を受け付けるための変更画面８１（図１１参照）を表示し、看護師等の医療スタッフにベッドＩＤの入力を促し、変更画面８１上でベッドＩＤの入力を受け付け（Ｓ１３）、Ｓ１４の処理に進む。
【００７６】
尚、図１１に例示する変更画面８１には、ベッドＩＤの入力欄８１ａと、入力されたベッドＩＤの確認ボタン（ＯＫボタン）８１ｂとが設けられている。看護師等の医療スタッフが表示端末４の入力部４２を操作し、入力欄８１ａにベッドＩＤを入力し、確認ボタン（ＯＫボタン）８１ｂをクリックすることで、患者情報取得部４３に変更するベッドＩＤが入力される。
【００７７】
Ｓ１４では、患者情報取得部４３は、サーバ１の情報提供部１１に、Ｓ１３で受け付けたベッドＩＤを含むベッドＩＤ変更要求を送信し、Ｓ１５の処理に進む。
【００７８】
Ｓ１５では、患者情報取得部４３は、送信したベッドＩＤ変更要求に応じてサーバ１から送信された医療看護支援情報を受信し、表示部４０に、受信した医療看護支援情報を表示して処理を終了する。尚、ベッドＩＤ変更要求を受信したサーバ１の処理は、後述する図７で説明する。
【００７９】
Ｓ１２〜Ｓ１５の処理によれば、実際に表示端末４が設置されているベッドのベッドＩＤと異なるベッドＩＤに対応付けられている患者の医療看護支援情報が送信されている場合に、誤った医療看護支援情報が表示されることが防止され、正確な医療看護支援情報が表示されるようになる。
【００８０】
次に、医療看護支援情報を表示している表示端末４からベッドＩＤを変更し、変更したベッドＩＤに対応付けられた患者の医療看護支援情報を表示させる処理について、図６を用いて説明する。
尚、図６は、本実施形態の医療情報表示システムの表示端末が行うベッドＩＤ変更処理の手順を示したフローチャートである。
【００８１】
医療看護支援情報を表示している表示端末４の患者情報取得部４３は、入力部４２を介して、ベッドＩＤの変更要求操作を受け付けると（Ｓ２１）、Ｓ２２〜Ｓ２５のスタッフ認証処理に移行する。この場合、表示端末４の表示部４０は、医療看護支援情報の表示からスタッフ認証用の表示に切り替わる。
【００８２】
尚、Ｓ２２、２３、２４、２５の処理は、上述した図４のＳ４、５、６、７と同様であるため説明を省略する。また、Ｓ２５において認証失敗と判定されたＳ２７の処理は、上述した図４のＳ９と同じであるため、説明を省略する。
【００８３】
次に、Ｓ２５においてスタッフ認証成功と判定された場合に進むＳ２６、Ｓ２８〜Ｓ３０の処理について説明する。
【００８４】
Ｓ２６では、患者情報取得部４３は、表示端末４に記憶されている医療看護支援情報（Ｓ２１の変更要求を受け付ける際に表示していた医療看護支援情報）を消去する。
【００８５】
Ｓ２８では、患者情報取得部４３は、上述した図４のＳ１３と同様の処理（表示部５０に、ベッドＩＤの変更入力を受け付けるための変更画面８１を表示し、変更画面８１上でベッドＩＤの入力を受け付ける処理）を行う。
Ｓ２９では、患者情報取得部４３は、上述した図４のＳ１４と同様の処理（サーバ１の情報提供部１１に、Ｓ２８で受け付けたベッドＩＤを含むベッドＩＤ変更要求を送信する処理）を行う。
又、Ｓ３０では、患者情報取得部４３は、上述した図４のＳ１５と同様の処理（送信したベッドＩＤ変更要求に応じてサーバ１から送信された医療看護支援情報を受信し、表示部４０に、受信した医療看護支援情報を表示する処理）を行い、処理を終了する。
【００８６】
次に、上述した「図４のＳ１４」及び「図６のＳ２９」において、患者情報取得部４３から送信されるベッドＩＤ変更要求を受け付けるサーバ１側の処理について、図７を参照しながら説明する。
尚、図７は、本実施形態の医療情報表示システムのサーバが行うベッドＩＤ変更処理の手順を示したフローチャートである。
【００８７】
図示するように、サーバ１の情報提供部１１は、表示端末４から送信されるベッドＩＤ変更要求を受信し（Ｓ１１０）、Ｓ１１１の処理に進む。
【００８８】
Ｓ１１１では、サーバ１の情報提供部１１は、端末・ベッドＩＤ対応テーブル１４にアクセスし、ベッドＩＤ変更要求を送信してきた表示端末４の端末ＩＤに対応付けられているベッドＩＤを、Ｓ１１０で受信したベッドＩＤ変更要求に含まれているベッドＩＤに変更する更新処理を行い、Ｓ１１２の処理に進む。
具体的には、情報提供部１１は、端末・ベッドＩＤ対応テーブル１４にアクセスし、ベッドＩＤ変更要求を送信してきた表示端末４を識別する端末ＩＤが登録されたレコードを特定する。そして、情報提供部１１は、特定したレコードのフィールド１４ｂに登録されているベッドＩＤを、受信したベッドＩＤ変更要求に含まれているベッドＩＤに変更し記憶させる。
【００８９】
Ｓ１１２では、情報提供部１１は、患者情報データベース１３にアクセスし、Ｓ１１０で受信したベッドＩＤ変更要求に含まれるベッドＩＤに対応付けられた「患者属性情報（患者氏名）、医療看護支援ピクトグラム、注意事項、担当者、入退院日、転倒リスクアセスメント」を抽出し、Ｓ１１３の処理に進む。
【００９０】
Ｓ１１３では、情報提供部１１は、Ｓ１１２で抽出した「患者属性情報、医療看護支援ピクトグラム、注意事項、担当者、入退院日、転倒リスクアセスメント」と、Ｓ１１０で受信したベッドＩＤ変更要求に含まれる「ベッドＩＤ」とが含まれる医療看護支援情報（図１２参照）を生成し、ベッドＩＤ変更要求を送信してきた表示端末４に対して、生成した医療看護支援情報を送信し、図４に示す表示端末４のＳ１５（或いは、図６に示す表示端末４のＳ３０）の処理に移行する。
【００９１】
次に、表示端末４が行う医療看護支援情報の削除処理について図８を用いて説明する。
尚、図８は、本実施形態の医療情報表示システムの表示端末が行う医療看護支援情報の削除処理の手順を示したフローチャートである。
【００９２】
表示端末４の患者情報取得部４３は、表示部４０に医療看護支援情報を表示している状態において、入力部４２を介して、看護師等のスタッフから表示している医療看護支援情報の削除要求を受け付けることができるようになっている。
【００９３】
そして、図８に示すように、患者情報取得部４３は、上記の削除要求を受け付けると（Ｓ４１）、Ｓ４２〜Ｓ４５のスタッフ認証処理に移行する。このとき、表示端末４の表示部４０の画像は、医療看護支援情報の表示からスタッフ認証用の画像に切り替わる。
【００９４】
尚、Ｓ４２、４３、４４、４５の処理は、上述した図４のＳ４、５、６、７と同様であるため説明を省略する。また、Ｓ４５において認証失敗と判定されたＳ４７の処理は、上述した図４のＳ９と同じであるため、説明を省略する。
【００９５】
次に、Ｓ４５においてスタッフ認証成功と判定された場合に進むＳ４６、Ｓ４８〜Ｓ４９の処理について説明する。
【００９６】
患者情報取得部４３は、ベッドＩＤ削除画面（図示せず）を表示し（Ｓ４６）、この削除画面上でベッドＩＤの削除要求を受け付け（Ｓ４８）、Ｓ４９の処理に進む。
尚、ベッドＩＤ削除画面に、上述した変更画面８１（図１１）を用いるようにしてもよい。この場合、患者情報取得部４３は、例えば、入力部４２を介して、入力欄８１ａに予め定めている数値（例えば、「００００」）が入力された場合に、削除要求を受け付けるようにする。
【００９７】
Ｓ４９では、患者情報取得部４３は、表示端末４に記憶されている医療看護支援情報（Ｓ４１の削除処理要求を受け付ける際に表示していた医療看護支援情報）を消去する。また、患者情報取得部４３は、サーバ１に設定されていたベッドＩＤ（Ｓ４１の削除処理要求を受け付ける際に表示していた医療看護支援情報に含まれているベッドＩＤ）を含む削除通知を送信して処理を終了する。
【００９８】
次に、図８のＳ４９において、表示端末４からベッドＩＤを含む削除通知を受け付けたサーバ１が行う医療看護支援情報の削除処理について図９を用いて説明する。
尚、図９は、本実施形態の医療情報表示システムの表示端末が行う医療看護支援情報の削除処理の手順を示したフローチャートである。
【００９９】
先ず、サーバ１の情報提供部１１は、表示端末４から送信されたベッドＩＤを含む削除通知を受信する（Ｓ１２０）
【０１００】
次に、情報提供部１１は、端末・ベッド対応テーブルにアクセスし、Ｓ１２０で受信した削除通知に含まれるベッドＩＤが登録されたレコードを消去し（Ｓ１２１）、処理を終了する。この処理により、ベッド（ベッドＩＤ）と、表示端末（端末ＩＤ）との紐付けが解消される。
【０１０１】
このように、本実施形態によれば、医療スタッフ或いは患者がＩＣカードを利用した患者認証作業を行うことなく、ベッドサイドの表示端末４に、患者の医療看護支援情報を表示させることができる。そのため、本実施形態は、上述した従来技術のような「医療スタッフや患者が、ＩＣカードを利用した認証作業を忘れることにより発生する問題（患者の医療情報を表示させることができない、或いは、前の患者の医療情報が表示されたままになるという問題）が生じることがない。
【０１０２】
また、本実施形態によれば、看護師等の医療スタッフは、確認画面８０上に表示されたベッドＩＤ（ベッド番号）と、実際に表示端末４が設置されているベッドのベッドＩＤ（ベッド番号）とを目視により確認し、ベッド番号が間違っていない場合に当該ベッドを割り当てられた患者に対する医療看護支援情報を表示させることができる。すなわち、本実施形態の構成によれば、表示端末４に正確な医療看護支援情報を表示させることができる。
【０１０３】
《詳細な医療情報の表示処理》
次に、本実施形態の医療情報表示システムが行う詳細な医療情報を表示させる処理について説明する。
【０１０４】
本実施形態の医療情報表示システムでは、表示端末４が表示部４０に医療看護支援情報（図１２参照）を表示している場合に限り、表示中の医療看護支援情報に示された患者に対する「詳細な医療情報（カルテ情報等の医療情報）」の表示要求（詳細医療情報表示要求）が行えるようになっている。そして、表示端末４に入力されたパスワード（患者認証用パスワード）がサーバ１により認証されると、サーバ１が医療システム６にアクセスし、対応する患者の「詳細な医療情報（カルテ情報等の医療情報）」を取得し、パスワードが入力された対応する表示端末４に、「詳細な医療情報（カルテ情報等の医療情報）」を送信して表示させるようになっている。以下、「詳細な医療情報（カルテ情報等の医療情報）」の表示処理について具体的に説明する。
尚、詳細な医療情報とは、医療システム６を構成する電子カルテサーバ（図示せず）に記憶されている情報であり、患者に対する「検査」、「投薬」、「手術」等のスケジュールやその内容を示す情報のことをいう。例えば、詳細な医療情報には、「患者の検査結果等の詳細情報」、「通称PACS(Picture Archiving and Communication System（医療用画像データシステム)）データと呼ばれる、CT、MRI、レントゲンフィルムなどの画像情報」、「患者の詳細な食事制限情報（検査、投薬および手術前の食事制限情報、アレルギーによる食事制限情報、病状（糖尿病など）による食事制限情報）」等がある。
【０１０５】
医療看護支援情報を表示している表示端末４の患者情報取得部４３は、入力部４２を介して、ユーザ（看護師等のスタッフや患者）から詳細医療情報表示要求の受け付けができるように構成されている。
そして、患者情報取得部４３は、詳細医療情報表示要求を受け付けると、表示部４０に、パスワード（患者認証用パスワード）の入力を促す情報を表示する（例えば、「読取装置５にＩＣカードをかざして下さい」などを示す情報をポップアップ表示する）。また、患者情報取得部４３は、ＰＷ取得部４４にパスワード取得要求を送信する。尚、パスワード（患者認証用パスワード）が記憶されているＩＣカードは、予め、患者に配布されている。また、ＩＣカードの表裏面には、視覚により個人を特定できる情報（氏名、番号等）は一切記載されていない。
【０１０６】
ＰＷ取得部４４は、上記パスワード取得要求を受信すると、読取装置５を起動させる。ユーザがＩＣカードを読取装置５にかざすと、読取装置５は、ＩＣカードに記憶されている患者認証用パスワードを読み取り、ＰＷ取得部４４に読み取った患者認証用パスワードを送信する。ＰＷ取得部４４は、読取装置５から送信されたパスワードを受信すると、患者情報取得部４３に受信した患者認証用パスワードを送信する。患者情報取得部４３は、ＰＷ取得部４４から送信された患者認証用パスワードを受信すると、サーバ１に対して、患者認証用パスワードが含まれる「詳細医療情報の送信要求」を送信する。
【０１０７】
サーバ１の情報提供部１１は、表示端末４から送信される「詳細医療情報の送信要求」を受信すると、患者情報データベース１３にアクセスし、詳細医療情報表示要求を送信してきた表示端末４に提供している医療看護支援情報の患者を識別する患者ＩＤに関連付けられたパスワードを抽出する。また、情報提供部１１は、患者情報データベース１３から抽出した患者認証用パスワードと、「詳細医療情報の送信要求」に含まれる患者認証用パスワードとが一致するか否かの患者認証処理を行う。
【０１０８】
そして、情報提供部１１は、患者情報データベース１３から抽出した患者認証用パスワードと、「詳細医療情報の送信要求」に含まれる患者認証用パスワードとが一致する場合、詳細医療情報取得部１２に、対応する患者ＩＤが含まれる医療情報の取得要求を送信する（この患者ＩＤは、詳細医療情報表示要求を送信してきた表示端末４に提供している医療看護支援情報の患者を識別する患者ＩＤである）。
【０１０９】
詳細医療情報取得部１２は、前記取得要求を受信すると、医療システム６にアクセスし、前記取得要求に含まれる患者ＩＤに対応付けられた「詳細な医療情報（カルテ情報等の医療情報）」を取得する。また、詳細医療情報取得部１２は、情報提供部１１に、取得した「詳細な医療情報（カルテ情報等の医療情報）」を送信する。
その後、情報提供部１１は、「詳細医療情報の表示要求」を送信した表示端末４に、詳細医療情報取得部１２を介して取得した「詳細な医療情報（カルテ情報等の医療情報）」を送信し表示させる。
【０１１０】
一方、情報提供部１１は、患者情報データベース１３から抽出した患者認証用パスワードと、詳細医療情報表示要求に含まれる患者認証用パスワードとが一致しない場合、詳細医療情報表示要求を送信した表示端末４に、患者認証ができないため詳細医療情報表示できない旨を示すエラーメッセ−ジ送信して表示させる。
【０１１１】
このように、本実施形態によれば、医療看護支援情報を表示中の表示端末４に接続された読取装置５に、ＩＣカードに記憶された患者認証用パスワードを読み取らせ、そのパスワードをサーバ１に送り、サーバ１で認証された場合にのみ、表示端末４に詳細医療情報が表示されるようになっている。
上記の構成によれば、医療看護支援情報を表示中の表示端末４に正確なパスワードを入力しなければ、表示端末４に患者の詳細医療情報を表示させることができない。すなわち、本実施形態では、不正にＩＣカードを取得した者がいたとしても、そのＩＣカードを配布された患者の医療看護支援情報を表示中の表示端末４を見つけ出さない限り、患者の詳細な医療情報を表示させることができないようになっており、患者の詳細医療情報の流出の防止が図られている。
【０１１２】
尚、本発明は、上述した実施形態に限定されるものではなく、その要旨の範囲内において種々の変更が可能である。
【０１１３】
例えば、上述した実施形態の医療看護支援情報には、「患者属性情報（氏名）、医療看護支援ピクトグラム、注意事項、担当者、入退院日、転倒リスクアセスメント、ベッドＩＤ」が含まれているが特にこれに限定されるものではない。例えば、医療看護支援情報が「患者属性情報（氏名）」及び「医療看護支援ピクトグラム」だけでも良いし、例えば、医療看護支援情報が「患者属性情報（氏名）」及び「医療看護支援ピクトグラム」に、「注意事項、担当者、入退院日、転倒リスクアセスメント、ベッドＩＤ」のうちのいずれかが含まれる内容になっていてもよい。
【０１１４】
また、図１２で示した医療看護支援情報の表示画面１００は、あくまでも一例に過ぎない。例えば、患者情報データベース１３に「医療看護支援ピクトグラム」が４つ登録されている患者の医療看護支援情報を表示する場合、図１３に示すように、図１２の例と比べて、「医療看護支援ピクトグラム」を提示する領域１００ｃを大きく形成しても良い。この場合、図１２の例と比べて、「医療看護支援ピクトグラム」を提示する領域１００ｃを大きくする一方で、「転倒リスクアセスメント」を提示する領域１００ｄを小さくしている。
【０１１５】
また、上述した実施形態では、詳細な医療情報の表示処理を行う際に、表示端末４が読取装置５を介して、ＩＣカードに記憶された患者認証用パスワードを取得しているが、患者認証用パスワードの取得方法について特に限定されるものではない。例えば、表示端末４の入力部４２が「患者認証用パスワード」の入力を受け付ける構成であってもよい。また、患者認証に、パスワードではなく、生体認証（指紋認証や顔認証等の生体認証）を用いるようにしてもよい。この場合は、表示端末４に生体認証用のデバイス（指紋読取装置やカメラ等）を接続し、サーバ１の患者情報データベース１３に、患者認証用パスワードの代わりに各患者の生体認証情報を登録しておく。
【０１１６】
また、表示端末４に表示する医療看護支援情報の表示画面上において、患者が入院する際（始めてベッドに来る際）に、患者を元気付けるメッセージ、画像（イラスト）、動画等を表示するようにしても良い。
【符号の説明】
【０１１７】
１…サーバ、２…操作端末、４…表示端末、５…読取装置、６…医療システム、１０…制御部、１１…情報提供部、１２…詳細医療情報取得部、１３…患者情報データベース、１４…端末・ベッド対応テーブル、４０…表示部、４１…制御部、４２…入力部、４４…ＰＷ取得部
【図１】
0006556604.tif 000002
【図２】
0006556604.tif 000003
【図３】
0006556604.tif 000004
【図４】
0006556604.tif 000005
【図５】
0006556604.tif 000006
【図６】
0006556604.tif 000007
【図７】
0006556604.tif 000008
【図８】
0006556604.tif 000009
【図９】
0006556604.tif 000010
【図１０】
0006556604.tif 000011
【図１１】
0006556604.tif 000012
【図１２】
0006556604.tif 000013
【図１３】
0006556604.tif 000014